(57)【要約】【課題】販売元、鍵屋、量販店等で使用者のニーズに合うようにキーブレードそのもの、又は鍵部品そのものを容易に交換することができること。【解決手段】使用時に携帯型把手に一体的設けられ、一方、交換所望時は少なくともキーブレードが取外し可能な鍵部品であり、鍵部品は、携帯型把手の一端部に固着具或いは支持軸を介して取付けられる取付け部分と、この取付け部分の外面から外方向へ突出すると共に先端開口を有する収納部分とから成る支持部材と、収納部分に幅広基端部が設けられ、かつキーコード溝を有する差し込み部分が先端開口から突出するキーブレードとから成る鍵部品。【選択図】図４
2013167105.tif 000002
【特許請求の範囲】
【請求項１】
使用時に携帯型把手に一体的設けられ、一方、交換所望時は少なくともキーブレードが取外し可能な鍵部品であり、前記鍵部品は、前記携帯型把手の一端部に固着具或いは支持軸を介して取付けられる取付け部分と、この取付け部分の外面から外方向へ突出すると共に先端開口を有する収納部分とから成る支持部材と、前記収納部分に幅広基端部が設けられ、かつキーコード溝を有する差し込み部分が前記先端開口から突出する前記キーブレードとから成る鍵部品。
【請求項２】
請求項１に於いて、キーブレードは、収納部分を形成する壁面に複数個の抜け出し防止具用の貫通孔が形成され、前記抜け出し防止具を前記収納部分の壁面から取外すと、支持部材から該キーブレードを取外すことができることを特徴とする鍵部品。
【請求項３】
請求項１に於いて、キーブレードは、収納部分を形成する壁面に複数個の抜け出し防止具用の貫通孔が形成され、前記抜け出し防止具を前記収納部分の壁面から取外さないでそのまま緩めると、支持部材から該キーブレードを取外すことができることを特徴とする鍵部品。
【請求項４】
請求項１に於いて、取付け部分は、少なくとも両端開口の円筒状に形成され、支持軸を介して携帯型把手の一端部に回転自在に装着されていることを特徴とする鍵部品。
【請求項５】
使用時に携帯型把手に一体的設けられ、一方、交換所望時は少なくともキーブレードが取外し可能な鍵部品であり、前記鍵部品は、前記携帯型把手の一端部に固着具或いは支持軸を介して取付けられる取付け部分と、この取付け部分の外面から外方向へ突出すると共に先端開口を有する収納部分とから成る支持部材と、前記収納部分に幅広基端部が設けられ、かつキーコード溝を有する差し込み部分が前記先端開口から突出する前記キーブレードとから成る鍵部品であり、前記キーブレードは、前記携帯型把手の一側壁のキー収納溝に収納された収納位置から前記携帯型把手と略水平状態となる使用位置へと回転する携帯型キー。
【請求項６】
取付け部分と、この取付け部分の外面から外方向へ突出すると共に先端開口を有する収納部分とから成る支持部材と、前記収納部分に、その幅広基端部が取外し可能に固定され、かつキーコード溝を有する差し込み部分が前記先端開口から突出する前記キーブレードとから成る鍵部品。
【発明の詳細な説明】
【技術分野】
【０００１】
本発明は、建物の扉、家具、自動車等の錠前の施・解錠に使用することができる鍵部品及び携帯型キーに関する。
【背景技術】
【０００２】
特許文献１は解錠キー装置に関するものであるが、図１、図２には、メカニカルキー３が記載されている。このメカニカルキー３は、例えば合成樹脂材で成形されたキーヘッド部２と、このキーヘッド部２に一体的に取付けられた金属製のキーブレード部１とか成る鍵部品であり、該鍵部品は、携帯型キーケース６に抜脱可能に差し込み装着することができる（符号は公報記載のもの）。
【０００３】
上記構成のメカニカルキー３は、キーケース６の収納方向へ差し込み、或いは収納方向から抜けるようにキーヘッド部２を引っ張ることができるので、緊急時にメカニカルキー３を使用することができるという利点がある。
【０００４】
しかしながら、特許文献１のメカニカルキー３は、日常的に使用するメカニカルキーではないので、例えば建具の玄関ドアに設けられた錠前用の鍵の鍵部品としては使用するには不向きであった。
【０００５】
何故ならば、特許文献１のメカニカルキー３は、使用時には、その都度、キーケース６から引き抜いたり、キーケース６に差し込んだりする必要があるので、使用が面倒である。また使用時には、把手部に相当する携帯型キーケースから引き抜き、両端面鉤状に形成された小さなキーヘッド部２を摘まんで錠前の鍵穴にキーブレード部１を差し込んで操作をしなければならないので、操作が容易ではない、さらに、キーヘッド部２に対してキーヘッド部２のものを交換するものではない。
【０００６】
そこで、特許文献１の問題点を解消することができる、鍵屋等で使用者のニーズに合うようにキーブレードそのもの、又は鍵部品そのものを交換することができる、鍵部品に識別機能を持たせることができる、機械的キーとして使用することのみならず、電子解錠キー装置の構成部材としても使用することができる等の観点から新規な鍵部品の出現が要望されている。
【０００７】
なお、特許文献２は、携帯機器の合鍵装備構造に関するものであるが、例えば該特許文献１の図１には、キー（マニュアルキー）１３を、本体ケース（把手）１１の一端部に支持軸を介して回転自在に設け、キー不使用時、前記キーは、把手１１の一側表面に形成された凹所（キー収納溝）２５に収納され、一方、キー使用時、キーは指先で前記凹所２５から引き出されて、把手１１と略水平状態となる使用位置へと回される携帯型鍵が開示されている（符号は公報記載のもの）。
【先行技術文献】
【特許文献】
【０００８】
【特許文献１】特許第４７６３４８１号
【特許文献２】特開２００８−７５４２３号公報
【発明の概要】
【発明が解決しようとする課題】
【０００９】
本願発明の所期の目的は、特許文献１の問題点に鑑み、販売元、鍵屋、量販店等で使用者のニーズに合うようにキーブレードそのもの、又は鍵部品そのものを容易に交換することができる新規な鍵部品及び携帯型キーを提供することである。第２の目的は、鍵部品を構成するキーブレードが、鍵部品を構成する支持部材から容易に抜けないことである。第３の目的は、使用する際には、キーブレードを把手のキー収納溝から使用位置へと回転することができ、一方、使用しない時は、キーブレードを把手のキー収納溝に簡単に収めることができることである。
【課題を解決するための手段】
【００１０】
本発明の鍵部品は、使用時に携帯型把手に一体的設けられ、一方、交換所望時は少なくともキーブレードが取外し可能な鍵部品であり、前記鍵部品は、前記携帯型把手の一端部に固着具或いは支持軸を介して取付けられる取付け部分と、この取付け部分の外面から外方向へ突出すると共に先端開口を有する収納部分とから成る支持部材と、前記収納部分に幅広基端部が設けられ、かつキーコード溝を有する差し込み部分が前記先端開口から突出する前記キーブレードとから成ることを特徴とする。
【００１１】
また本発明の携帯型キーは、使用時に携帯型把手に一体的設けられ、一方、交換所望時は少なくともキーブレードが取外し可能な鍵部品であり、前記鍵部品は、前記携帯型把手の一端部に固着具或いは支持軸を介して取付けられる取付け部分と、この取付け部分の外面から外方向へ突出すると共に先端開口を有する収納部分とから成る支持部材と、前記収納部分に幅広基端部が設けられ、かつキーコード溝を有する差し込み部分が前記先端開口から突出する前記キーブレードとから成る鍵部品であり、前記キーブレードは、前記携帯型把手の一側壁のキー収納溝に収納された収納位置から前記携帯型把手と略水平状態となる使用位置へと回転することを特徴とする。
【発明の効果】
【００１２】
（ａ）販売元、鍵屋、量販店等で使用者のニーズに合うようにキーブレードそのもの、又は鍵部品そのものを容易に交換することができる。
（ｂ）請求項２並びに請求項３に記載の発明は、鍵部品を構成するキーブレードが、鍵部品を構成する支持部材から容易に抜けない。また、少なくともキーブレードを支持部材から容易に外すことができる。
（ｃ）請求項４に記載の発明は、使用する際には、キーブレードを把手のキー収納溝から使用位置へと回転することができ、一方、使用しない時は、キーブレードを把手のキー収納溝に簡単に収めることができる。
（ｄ）請求項５に記載の発明は、把手の内部に錠制御装置に対する電子認証用の交換手段を含む電子回路を内蔵させることができる。
（ｅ）請求項６に記載の発明は、鍵部品として所望する把手に取付けることができると共に、キーブレードそのものを交換可能である。
【図面の簡単な説明】
【００１３】
図１乃至図６は本発明の第１実施形態を示す各説明図。図７乃至図１３は本発明の第２実施形態を示す各説明図。
【図１】携帯型キーを構成するキーブレードが収納位置に収まっている状態の斜視図。
【図２】キーブレードが使用位置まで回転した状態の斜視図。
【図３】鍵部品の斜視図。
【図４】鍵部品の分解斜視図。
【図５】鍵部品を構成するキーブレードの斜視図。
【図６】（ａ）、（ｂ）は交換可能なキーブレードの平面視からの各説明図。
【図７】第２実施形態の図１と同様の斜視図。
【図８】図２と同様の斜視図。
【図９】キーブレードが使用位置まで回転した状態の底面図。
【図１０】キーブレードが使用位置まで回転した状態の右側面図。
【図１１】図３と同様の斜視図。
【図１２】キーブレードの幅広基端部が抜け出し防止具を介して支持部材の収納部分に固定される概略断面説明図。
【図１３】鍵部品の分解斜視図。
【発明を実施するための最良の形態】
【００１４】
図１乃至図６を参照にして、第１実施形態の鍵部品Ｘ及び携帯型キーＹを説明する。なお、実施形態の携帯型キーＹは、鍵部品Ｘの主要部をそのまま含む。
まず、携帯型キーＹの構成を説明する。図１は携帯型キーＹを構成するキーブレードが収納位置に収まっている状態の斜視図、一方、図２は前記キーブレードが使用位置まで回転した状態の斜視図である。
【００１５】
付言すると、図１ではキーブレード１８がコンパクト型ケース或いは扁平型ケースの把手１の一側平面部にその長手方向に形成されたキー収納溝５に完全に収まっている状態である。これに対して、図２はキーブレード１８が使用位置である略水平状態まで回転した状態の斜視図である。ここで「略水平状態」の「略」とは、おおよその意味であり、例えば１８０度＋αの回転角も含まれる。
【００１６】
したがって、キーブレード１８が完全に開閉した際に、キー収納位置並びにキー使用位置の両方に於いて、キーが容易に動かないようにキーを保持するためのα角を１８０度に加味した場合も含まれる。
【００１７】
この実施形態では、把手１と、該把手１に鍵部品Ｘの取付け基端部に相当する筒状取付け部分１０が支持軸６を介して自在に回転する構成を説示するが、前記筒状取付け部分１０は、必ずしも筒状である必要はなく、把手１に図示しない複数個の固着具を介して非回転状態に取外し可能に装着されている実施形態であっても良い。望ましくは、携帯性を考慮し、キーブレード１８は後述の筒状取付け部分１０及び支持軸６を介して回転自在に構成される。
【００１８】
さて、把手１は、例えばベース体（下ケース）２と、図示しない固定手段（例えば複数個の固着具）を介して該ベース体２に重なるように合体する蓋体（上ケース）３とから成る。把手１は、本発明の本質的事項ではないトルク機構を備えている。図示しないトルク機構の構成部材は、ベース体２の一端部（先端部）２ａ及び蓋体３の一端部（先端部）３ａにそれぞれ形成された図示しない支持凹所或は切欠部に適宜に組み込まれている。
【００１９】
携帯型キーＹの把手１は、その一端部に後述の鍵部品Ｘを回転自在に備えた単なる扁平型基盤であっても良く、また錠制御装置に対する電子認証用の交換手段を含む電子回路を内蔵した扁平状のケースであっても良い。
【００２０】
本実施携帯では、蓋体（上ケース）３の上面中央部に、その後端部３Ｂ付近、或いは後端面から先端部３ａに形成された筒状取付け部分１０用の幅広嵌合切欠４に至るまでキー溝５が形成されている。把手１の具体的な外観構成や内部構造は本発明の本質的事項ではないので、詳細な説明は割愛する。
【００２１】
次に、図３及び図４を参照にして鍵部品Ｘの構成を説明する。図３は鍵部品Ｘの斜視図、図４は鍵部品Ｘの分解斜視図である。鍵部品Ｘは、使用時に携帯型の把手１に一体的設けられ、一方、交換所望時は取外し可能な一種の鍵部品である。
【００２２】
この鍵部品Ｘは、携帯型の把手１の一端部に固着具或いは支持軸（本実施形態）６を介して取付けられる筒状取付け部分（軸筒部）１０と、この筒状取付け部分１０の外面から外方向へ水平状態に所定量突出すると共に、その突出先端部に先端開口１２を有する小ケース状の収納部分１１とから成る支持部材１３と、前記収納部分１１にその幅広基端部１５が取外し可能に設けられ、かつキーコード溝１６を有する差し込み部分１７が前記先端開口１２から突出するキーブレード１８とから成る。
【００２３】
筒状の取付け部分１０は、図１及び図２で示すように把手１の幅広嵌合切欠４に嵌合し、かつ、支持軸６を介して回転可能に支承される。特に図示しないが、筒状取付け部分１０は、識別可能な文字、記号、模様、色彩が施されている。
【００２４】
筒状取付け部分１０に連設する収納部分１１は、突片状のケース形態であるが、その一つの壁面、実施形態では、図４で示すようにベース板に相当する底壁１１aの内壁面に所定間隔を有して複数個（２個）のストッパー２０、２０が短筒状に突出形成され、これらの短筒状ストッパー２０には不番のメネジが形成されている。
【００２５】
また、収納部分１１を形成する他の壁面、実施形態では、前記底壁１１Ａに対向する上壁１１bには複数個の貫通孔２１、２１が形成されている。この実施形態の抜け出し防止具２２、２２は、前記上壁１１bの貫通孔２１、２１を介して前記短筒状ストッパー２０、２０にそれぞれ螺合する複数のオネジである。
【００２６】
前述したキーブレード１８の幅広基端部１５には、収納部分１１の貫通孔２１、２１に符合する左右一対の貫通小孔或いは嵌合小孔２５、２５が形成されており、これらの嵌合小孔２５、２５は前述したストッパー２０、２０に外嵌合する。
【００２７】
したがって、幅広基端部１５の左右部位に一対の嵌合小孔２５、２５を有するキーブレード１８を鍵部品Ｘの収納部分１１に一体的に装着する場合には、まず前記嵌合小孔２５を収納部分１１の短筒状ストッパー２０に外嵌合し、次いで、分離可能な上壁１１bを、その左右一対の貫通孔２１が前記嵌合小孔２５並びにストッパー２０に合わせるようにし、かつ前記ストッパー２０の端面で支持されるように適宜に合わせ、然る後に、抜け出し防止具２２をストッパー２０のメネジに螺着する。
【００２８】
それ故に、キーブレード１８を鍵部品Ｘの収納部分１１から取り外す場合には逆の手順でやれば良い。
【００２９】
図５は鍵部品Ｘを構成するキーブレード１８の斜視図、図６の（ａ）、（ｂ）は、交換可能なキーブレード１８の平面視からの各説明図である。キーブレード１８は、使用時に携帯型把手１に一体的設けられ、一方、交換所望時は取外し可能な鍵部品である。
【００３０】
この図５及び図６を参照にしてキーコード溝１６、１６Ａ、１６Ｂを説明する。図５に示すキーコード溝１６は、差し込み部分１７の平面部及び側面部に有底で複数種類の大きさと深さの摺り鉢形の窪み（ディンプル）を形成したものである。
【００３１】
また図６の（ａ）のキーコード溝１６Ａは、差し込み部分１７の平面部のみに前記鉢形の窪み（ディンプル）を形成したものである。
さらに、図６の（ｂ）のキーコード溝１６Ｂは、側面部に普通一般のギザギザ刻の鍵山を形成したものである。
【００３２】
本発明の実施形態は、差し込み部分１７に前記のようなキーコード溝１６、１６Ａ、１６Ｂを有するキーブレード１８を交換可能に把手１の収納部分１１に一体的にかつ取外し可能に装着することができる。
【実施例】
【００３３】
この欄では、図７乃至図１３に示す第２実施形態について説明するが、第１実施形態と同一の部分には同一の符号を付して重複する説明を省略する。
【００３４】
図７は第２実施形態の図１と同様の斜視図、図８は図２と同様の斜視図である。この第２実施形態は、第三者が第１実施形態の一部、例えば支持部材１３Ａの収納部分１１を設計変更した場合にも、本件発明の技術的範囲に含まれることを説示するものである。
【００３５】
図９はキーブレード１８Ａが使用位置まで回転した状態の底面図、図１０は前記キーブレード１８Ａが使用位置まで回転した状態の右側面図、図１１は図３と同様に斜視図、図１２はキーブレード１８Ａの幅広基端部１５Ａが、左右一対の抜け出し防止具２２、２２を介して支持部材１５Ａの収納部分１１に固定される概略断面説明図、図１３は鍵部品Ｘ１の分解斜視図である。
【００３６】
これらの図から明らかなように、この第２実施形態では、（ａ）収納部分１１の上下・左右の側壁１１ａ、１１ｂ、１１ｃ、１１ｄが一体形成されている点、（ｂ）前記左右の側壁１１ｃ、１１ｄに抜け出し防止具２２、２２をねじ込むためのメネジ貫通孔２１、２１が一対形成されている点、（ｃ）前記抜け出し防止具２２、２２を前記メネジ貫通孔２１、２１にねじ込むと、該抜け出し防止具の各先端部は、キーブレード１８Ａの幅広基端部１５Ａの左右部位に形成した被係止部２６、２６にそれぞれ係入する点、（ｄ）したがって、前記抜け出し防止具２２、２２を前記収納部分１１の左右側壁１１ｃ、１１ｄから図示しない工具を介して取外すと、鍵部品Ｘ１を構成する支持部材１５Ａからキーブレード１８Ａを容易に引き抜くことができる点である。このように構成しても、本発明の目的を達成することができる。
【産業上の利用可能性】
【００３７】
本発明は、建物の扉、家具、自動車等の錠前を機械式に施・解錠するに使用することができる。
【符号の説明】
【００３８】
Ｘ、Ｘ１…鍵部品、Ｙ…携帯型キー、１…把手、２…ベース体、３…蓋体、４…幅広嵌合切欠、５…キー収納溝、６…支持軸、１０…取付け部分、１１…収納部分、１１a、１１b、１１c、１１d…上下・左右の側壁、１２…先端開口、１３，１３Ａ…支持部材、１５，１５Ａ…幅広基端部、１６、１６Ａ、１６Ｂ…キーコード溝、１７…差し込み部分、１８，１８Ａ…キーブレード、２２…抜け出し防止具、２６…被係止部。
【図１】
2013167105.tif 000003
【図２】
2013167105.tif 000004
【図３】
2013167105.tif 000005
【図４】
2013167105.tif 000006
【図５】
2013167105.tif 000007
【図６】
2013167105.tif 000008
【図７】
2013167105.tif 000009
【図８】
2013167105.tif 000010
【図９】
2013167105.tif 000011
【図１０】
2013167105.tif 000012
【図１１】
2013167105.tif 000013
【図１２】
2013167105.tif 000014
【図１３】
2013167105.tif 000015